【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
空気を吸い込んで室内に吹き出す循環送風手段と、
室内に吹き出される空気を加熱する加熱手段と、
正イオンと負イオンとを生成し、前記循環送風手段で室内に吹き出される空気に供給するイオン発生手段と、
空気を吸い込んで屋外に排気する換気手段と、
前記循環送風手段で室内の空気を循環させながら、前記イオン発生手段で正イオンと負イオンを供給するイオン発生運転を行う制御手段とを備え、
常時換気を行う２４時間換気運転モードを有し、前記制御手段は、２４時間換気運転モードで、所定の換気風量で室内の空気を排出する運転を行った後、前記循環送風手段で室内の空気を循環させながら、前記イオン発生手段で正イオンと負イオンを供給するイオン発生運転を行う際に、換気風量を低下させる
ことを特徴とする空調装置。
【請求項２】
イオン発生運転を伴う２４時間換気運転モードは、室内を換気する換気運転モードと、被対象物を乾燥させる乾燥運転モードで、
前記制御手段は、前記換気運転モードまたは前記乾燥運転モードで第１の換気風量より換気風量を増加させた第２の換気風量に切り換えて換気動作を行って室内の湿度を下げた後、換気風量を第２の換気風量より少ない第１の換気風量に切り替えて、イオン発生運転を行う
ことを特徴とする請求項１記載の空調装置。
【請求項３】
第１の換気風量は、常時換気を行うことで、建物全体の空気を所定時間で入れ替えられる換気風量に設定される
ことを特徴とする請求項１または２記載の空調装置。
【請求項４】
前記制御手段は、２４時間換気運転モードが選択されると、第１の換気風量で常時換気を行い、２４時間換気運転モードでイオン発生運転を伴う換気運転モードが選択されると、前記循環送風手段で室内の空気を循環させながら、換気風量を第１の換気風量より増加させた第２の換気風量に切り換えて換気動作を行う循環換気運転を所定時間行って、室内の湿度を下げた後、換気風量を第２の換気風量より少ない第１の換気風量に切り替えてイオン発生運転を行い、イオン発生運転を所定時間行うと、前記循環送風手段を停止させると共にイオンの発生を停止して、イオン発生運転を終了する
ことを特徴とする請求項３記載の空調装置。
【請求項５】
前記制御手段は、２４時間換気運転モードが選択されると、第１の換気風量で常時換気を行い、２４時間換気運転モードでイオン発生運転を伴う乾燥運転モードが選択されると、前記循環送風手段で室内の空気を循環させると共に室内に吹き出される空気を前記加熱手段で加熱して温風を吹き出しながら、換気風量を第１の換気風量より増加させた第２の換気風量に切り換えて換気動作を行う乾燥運転を所定時間行って、室内の湿度を下げた後、換気風量を第２の換気風量より少ない第１の換気風量に切り替えてイオン発生運転を行い、イオン発生運転を所定時間行うと、前記循環送風手段及び前記加熱手段を停止させると共にイオンの発生を停止して、イオン発生運転を終了する
ことを特徴とする請求項３記載の空調装置。
【請求項６】
前記イオン発生手段で正イオンと負イオンが供給される室内である第１室の空気が前記換気手段で吸い込まれる換気吸込風路を開閉する風路開閉手段を備え、
前記制御手段は、換気風量を第１の換気風量より増加させた第２の換気風量に切り換えて換気動作を行って、室内の湿度を下げた後、前記第１室にイオンを供給するイオン発生運転時には、前記風路開閉手段で前記換気吸込風路を閉じて、前記第１室の換気を中断すると共に、換気風量を第２の換気風量より少ない第１の換気風量に切り替えて、前記第１室と異なる他室の換気を継続して行うようにした
ことを特徴とする請求項４または５記載の空調装置。
【請求項７】
室内の空気を吸い込んで吹き出す送風手段と、
前記送風手段で室内から吸い込まれた空気を、室内に吹き出すか屋外へ排気するかを切り替える風路切換手段と、
前記送風手段で室内に吹き出される空気を加熱する加熱手段と、
正イオンと負イオンとを生成し、前記送風手段で室内に吹き出される空気に供給するイオン発生手段と、
前記イオン発生手段で正イオンと負イオンを供給するイオン発生運転を行う制御手段とを備え、
前記風路切換手段を、前記送風手段で室内から吸い込んだ空気の全部を屋外に排気する換気位置として、前記送風手段で室内の空気を屋外に排気する換気動作によって常時換気を行う２４時間換気運転モードを有し、前記制御手段は、２４時間換気運転モードで、前記風路切換手段を、前記送風手段で室内から吸い込んだ空気の所定の量を屋外に排気する第１の分流位置として、前記送風手段で室内の空気を循環させながら、室内の空気を排出する運転を行った後、前記送風手段で室内から吸い込まれた空気が屋外へ排気される換気風路を第１の分流位置より狭めた第２の分流位置として、前記送風手段で室内の空気を循環させながら、前記イオン発生手段で正イオンと負イオンを供給するイオン発生運転を行う
ことを特徴とする空調装置。
【請求項８】
イオン発生運転を伴う２４時間換気運転モードは、室内を換気する換気運転モードと、被対象物を乾燥させる乾燥運転モードで、
前記制御手段は、前記換気運転モードまたは前記乾燥運転モードで、前記風路切換手段を第１の分流位置として、前記送風手段で室内の空気を循環させながら、前記送風手段で室内から吸い込んだ空気の第１の量を屋外に排気する換気風量で換気動作を行って室内の湿度を下げた後、前記風路切換手段を、前記送風手段で室内から吸い込んだ空気の第１の量より少ない第２の量を屋外に排気する第２の分流位置として、イオン発生運転を行う
ことを特徴とする請求項７記載の空調装置。
【請求項９】
前記制御手段は、前記風路切替手段を第２の分流位置として屋外に排気される第２の量の空気が、前記風路切替手段を換気位置として常時換気を行うことで、建物全体の空気を所定時間で入れ替えられる換気風量となるように、前記送風手段を制御する
ことを特徴とする請求項７または８記載の空調装置。
【請求項１０】
前記制御手段は、２４時間換気運転モードが選択されると、前記風路切換手段を換気位置として常時換気を行い、２４時間換気運転モードでイオン発生運転を伴う換気運転モードが選択されると、前記風路切換手段を第１の分流位置として、前記送風手段で室内の空気を循環させながら、前記送風手段で室内から吸い込んだ空気の第１の量を屋外に排気する換気動作を行う循環換気運転を所定時間行って、室内の湿度を下げた後、前記風路切換手段を第２の分流位置として、前記送風手段で室内から吸い込んだ空気を、第１の量より少ない第２の量で屋外に排気しながらイオン発生運転を行い、イオン発生運転を所定時間行うと、前記風路切換手段を換気位置とすると共にイオンの発生を停止して、イオン発生運転を終了する
ことを特徴とする請求項９記載の空調装置。
【請求項１１】
前記制御手段は、２４時間換気運転モードが選択されると、前記風路切換手段を換気位置として常時換気を行い、２４時間換気運転モードでイオン発生運転を伴う乾燥運転モードが選択されると、前記風路切換手段を第１の分流位置として、前記送風手段で室内の空気を循環させると共に室内に吹き出される空気を前記加熱手段で加熱して温風を吹き出しながら、前記送風手段で室内から吸い込んだ空気の第１の量を屋外に排気する換気動作を行う乾燥運転を所定時間行って、室内の湿度を下げた後、前記風路切換手段を第２の分流位置として、前記送風手段で室内から吸い込んだ空気を、第１の量より少ない第２の量で屋外に排気しながらイオン発生運転を行い、イオン発生運転を所定時間行うと、前記風路切換手段を換気位置とし前記加熱手段を停止させると共にイオンの発生を停止して、イオン発生運転を終了する
ことを特徴とする請求項９記載の空調装置。
【手続補正２】
【補正対象書類名】明細書
【補正対象項目名】０００８
【補正方法】変更
【補正の内容】
【０００８】
上述した課題を解決するため、本発明の空調装置は、空気を吸い込んで室内に吹き出す循環送風手段と、室内に吹き出される空気を加熱する加熱手段と、正イオンと負イオンとを生成し、循環送風手段で室内に吹き出される空気に供給するイオン発生手段と、空気を吸い込んで屋外に排気する換気手段と、循環送風手段で室内の空気を循環させながら、イオン発生手段で正イオンと負イオンを供給するイオン発生運転を行う制御手段とを備え、常時換気を行う２４時間換気運転モードを有し、制御手段は、２４時間換気運転モードで、所定の換気風量で室内の空気を排出する運転を行った後、循環送風手段で室内の空気を循環させながら、イオン発生手段で正イオンと負イオンを供給するイオン発生運転を行う際に、換気風量を低下させることを特徴とする。
【手続補正３】
【補正対象書類名】明細書
【補正対象項目名】０００９
【補正方法】変更
【補正の内容】
【０００９】
また、本発明の空調装置は、室内の空気を吸い込んで吹き出す送風手段と、送風手段で室内から吸い込まれた空気を、室内に吹き出すか屋外へ排気するかを切り替える風路切換手段と、送風手段で室内に吹き出される空気を加熱する加熱手段と、正イオンと負イオンとを生成し、送風手段で室内に吹き出される空気に供給するイオン発生手段と、イオン発生手段で正イオンと負イオンを供給するイオン発生運転を行う制御手段とを備え、風路切換手段を、送風手段で室内から吸い込んだ空気の全部を屋外に排気する換気位置として、送風手段で室内の空気を屋外に排気する換気動作によって常時換気を行う２４時間換気運転モードを有し、制御手段は、２４時間換気運転モードで、風路切換手段を、送風手段で室内から吸い込んだ空気の所定の量を屋外に排気する第１の分流位置として、送風手段で室内の空気を循環させながら、室内の空気を排出する運転を行った後、送風手段で室内から吸い込まれた空気が屋外へ排気される換気風路を第１の分流位置より狭めた第２の分流位置として、送風手段で室内の空気を循環させながら、イオン発生手段で正イオンと負イオンを供給するイオン発生運転を行うことを特徴とする。
【手続補正４】
【補正対象書類名】明細書
【補正対象項目名】００１０
【補正方法】変更
【補正の内容】
【００１０】
本発明の空調装置では、室内に温風を吹き出しながら換気を行う乾燥運転モードや、室内の換気を行う換気運転モード等、換気動作を伴う所定の運転モードと、イオンの発生を連動させる運転では、換気動作を行った後に、室内の空気を循環させながらイオンを供給するイオン発生運転を行う。
【手続補正５】
【補正対象書類名】明細書
【補正対象項目名】００１１
【補正方法】変更
【補正の内容】
【００１１】
イオン発生運転では、イオン発生運転の前の換気動作より換気風量を低下させて、室内の空気を循環させながらイオンを供給する。
【手続補正６】
【補正対象書類名】明細書
【補正対象項目名】００４１
【補正方法】変更
【補正の内容】
【００４１】
また、電動ルーバ３３は、第１の整流板３４ａと直交する向きに配置される複数枚の第２の整流板３４ｂと、第２の整流板３４ｂの向きを変える第２のルーバモータ３５ｂと、各第２の整流板３４ｂに駆動力を伝達する第２のリンク機構３６ｂを備える。
【手続補正７】
【補正対象書類名】明細書
【補正対象項目名】００５４
【補正方法】変更
【補正の内容】
【００５４】
浴室５１の入口には浴室ドア５６を備える。浴室ドア５６は空気取入口（ガラリ）５６ａを備え、浴室５１に隣接した洗面脱衣所５２等の空気を浴室５１内に取り込めるようになっている。
【手続補正８】
【補正対象書類名】明細書
【補正対象項目名】００７５
【補正方法】変更
【補正の内容】
【００７５】
なお、空調装置１Ａで浴室５１の空気が吸い込まれると、浴室ドア５６の空気取入口５６ａから洗面脱衣所５２の空気が浴室５１に取り込まれる。
【手続補正９】
【補正対象書類名】明細書
【補正対象項目名】０１１４
【補正方法】変更
【補正の内容】
【０１１４】
（１−４）２４時間換気時のイオン連動換気運転モードの他の変形例
本例の空調装置１Ａでは、循環ファン部１２と換気ファン部１３が別に備えられ、また、浴室５１からの換気吸込口３０ａを開閉する風路開閉ダンパ３１を備えることで、他室からの２４時間換気運転は継続しながら、浴室５１からの換気を停止できる。
【手続補正１０】
【補正対象書類名】明細書
【補正対象項目名】０１１５
【補正方法】変更
【補正の内容】
【０１１５】
これに対して、換気吸込口３０ａを開閉する風路開閉ダンパ３１を備えていない構成の図示しない空調装置等では、２４時間換気を行っている状態では、浴室５１からの換気を停止できない。
【手続補正１１】
【補正対象書類名】明細書
【補正対象項目名】０２１６
【補正方法】変更
【補正の内容】
【０２１６】
浴室５１の入口には浴室ドア５６を備える。浴室ドア５６は空気取入口（ガラリ）５６ａを備え、浴室５１に隣接した洗面脱衣所５２等から他室の空気を浴室５１内に取り込めるようになっている。
【手続補正１２】
【補正対象書類名】明細書
【補正対象項目名】０２２４
【補正方法】変更
【補正の内容】
【０２２４】
すなわち、空調装置１Ｂは、ファンモータ８３ａによりファン８３が回転駆動されると、フロントパネル８７の吸込グリル８７ａから浴室５１の空気がファン吸込口８４ａに吸い込まれる。なお、空調装置１Ｂで浴室５１の空気が吸い込まれると、浴室ドア５６の空気取入口５６ａから洗面脱衣所５２の空気が浴室５１に取り込まれる。
【手続補正１３】
【補正対象書類名】明細書
【補正対象項目名】０２７２
【補正方法】変更
【補正の内容】
【０２７２】
すなわち、空調装置１Ｂは、ファンモータ８３ａによりファン８３が回転駆動されると、フロントパネル８７の吸込グリル８７ａから浴室５１の空気がファン吸込口８４ａに吸い込まれる。なお、空調装置１Ｂで浴室５１の空気が吸い込まれると、浴室ドア５６の空気取入口５６ａから洗面脱衣所５２の空気が浴室５１に取り込まれる。